(57)【要約】【課題】騒音に加えてターゲット音が同一空間に存在する場合において、騒音を目立たなくして、ターゲット音を聞き取りやすくする（ターゲット音に集中できる環境にする）ことができる意識制御用音放射装置を提供すること。【解決手段】ターゲット音を聞き取りやすくするエリアである意識制御エリア２３よりも騒音発生源側に配置され、意識制御用音を放射する意識制御用音放射手段３２と、騒音または騒音発生源を検出する騒音検出部を有し、意識制御用音放射手段３２を制御する制御装置３３と、を備え、制御装置３３は、騒音検出部で検出した騒音または騒音発生源に応じて意識制御用音を意識制御用音放射手段３２から放射させるものである。【選択図】図１
2016136189.tif 000002
【特許請求の範囲】
【請求項１】
ターゲット音を聞き取りやすくするエリアである意識制御エリアよりも騒音発生源側に配置され、意識制御用音を放射する意識制御用音放射手段と、
騒音または騒音発生源を検出する騒音検出部を有し、前記意識制御用音放射手段を制御する制御装置と、を備え、
前記制御装置は、
前記騒音検出部で検出した騒音または騒音発生源に応じて意識制御用音を前記意識制御用音放射手段から放射させるものである
ことを特徴とする意識制御用音放射装置。
【請求項２】
前記制御装置は、
前記騒音検出部によって検出した前記騒音発生源の動作状態に応じて前記意識制御用音を選択するものである
ことを特徴とする請求項１に記載の意識制御用音放射装置。
【請求項３】
前記騒音発生源の動作状態と意識制御用音との組合せに関する情報が保存された記憶部を備え、
前記制御装置は、
前記記憶部の情報から前記意識制御用音を選択するものである
ことを特徴とする請求項２に記載の意識制御用音放射装置。
【請求項４】
前記意識制御エリアよりも前記騒音発生源側に配置され、音を計測する音計測手段を備え、
前記制御装置は、
前記音計測手段によって計測されたアナログ信号に基づいて前記騒音検出部で騒音の音響特性を検出し、該騒音の音響特性に応じて前記意識制御用音を選択するものである
ことを特徴とする請求項１に記載の意識制御用音放射装置。
【請求項５】
前記騒音の音響特性と意識制御用音との組合せに関する情報が保存された記憶部を備え、
前記制御装置は、
前記記憶部の情報から前記意識制御用音を選択するものである
ことを特徴とする請求項４に記載の意識制御用音放射装置。
【請求項６】
前記制御装置は、
前記意識制御用音の周波数特性におけるピークの平均の音圧レベルが、騒音の周波数特性におけるピークの平均の音圧レベルに対して０〜５ｄＢ低くなるように音圧レベルの調整を行うものである
ことを特徴とする請求項１〜５のいずれか一項に記載の意識制御用音放射装置。
【請求項７】
前記意識制御用音放射手段は、
前記騒音発生源から、特定周波数帯域に存在する騒音の周波数特性におけるピークのうち一番高い周波数成分の一波長以内の位置に配置されるものである
ことを特徴とする請求項１〜６のいずれか一項に記載の意識制御用音放射装置。
【請求項８】
前記意識制御用音に楽音の基本周波数を用いる
ことを特徴とする請求項１〜７のいずれか一項に記載の意識制御用音放射装置。
【請求項９】
前記意識制御用音は、
騒音の周波数特性におけるピークが存在する周波数帯域以外の帯域にピークが存在する周波数特性を有する
ことを特徴とする請求項１〜８のいずれか一項に記載の意識制御用音放射装置。
【発明の詳細な説明】
【技術分野】
【０００１】
本発明は、住居空間における音環境を快適にするための意識制御用音放射装置に関するものである。
【背景技術】
【０００２】
従来、マスキング効果を利用して音の漏れ聞こえを防ぐ技術が各種提案されている（たとえば、特許文献１および２参照）。マスキング効果とは、２種類の音信号を同じ空間内に伝播させた場合に、空間内の聴者において、一方の音（騒音）が他方の音（マスキング音）によってかき消されて、騒音が聞き取りにくくなる現象のことである。この種の技術の多くは、ターゲット音の発生源である話者が居る領域、および壁や衝立を介して隣接している領域に向けてマスキング音を放射するものである。なお、マスキング音としては、人の話し声、空調音、自然界の音（たとえば風や波）などが用いられる。
【０００３】
たとえば、仕事エリアと会議エリアとが隣接した環境において会議エリアで会議が行われている場合では、その会議エリアに隣接した仕事エリアへ会議者の話し声（騒音）を聞こえにくくする（マスキングする）ための音（マスキング音）を放射する。これはスピーチプライバシーという考えに基づいた技術であり、こうすることにより、会議者の話し声が仕事エリアへ伝播して仕事エリアに居る人に迷惑が掛からないようにするとともに、会議者の話し声から仕事エリアに居る人に情報が漏洩しないようにしている。
【先行技術文献】
【特許文献】
【０００４】
【特許文献１】特許第５１０３９７３号公報
【特許文献２】特開２０１２−１９４５２８号公報
【発明の概要】
【発明が解決しようとする課題】
【０００５】
しかしながら、特許文献１および２に記載のような従来の技術において、聞きたくない音である騒音に加えて聞きたい音であるターゲット音が同一空間に存在する場合は、その両方の音をマスキング音によってマスキングしてしまい、ターゲット音が聞こえにくくなってしまうという課題があった。
【０００６】
また、上記技術は一般家庭に適用することもできるが、一般家庭でたとえば換気扇の音を消すために、マスキング音として空調音を用いた場合、換気扇の音に対して一応の効果を得ることはできるが、周波数特性の違いからマスキング音が騒音として聞こえてしまうという課題があった。また、マスキング音として自然界の音を用いた場合、一般家庭で聞くことのない音なので、そのような音が聞こえるのは聴取的に不自然な感覚を与えることになり、聴感的にも心理的にも不快感を与えてしまうという課題があった。
【０００７】
本発明は、以上のような課題を考慮してなされたもので、騒音に加えてターゲット音が同一空間に存在する場合において、騒音を目立たなくして、ターゲット音を聞き取りやすくする（ターゲット音に集中できる環境にする）ことができる意識制御用音放射装置を提供することを目的としている。
【課題を解決するための手段】
【０００８】
本発明に係る意識制御用音放射装置は、ターゲット音を聞き取りやすくするエリアである意識制御エリアよりも騒音発生源側に配置され、意識制御用音を放射する意識制御用音放射手段と、騒音または騒音発生源を検出する騒音検出部を有し、前記意識制御用音放射手段を制御する制御装置と、を備え、前記制御装置は、前記騒音検出部で検出した騒音または騒音発生源に応じて意識制御用音を前記意識制御用音放射手段から放射させるものである。
【発明の効果】
【０００９】
本発明に係る意識制御用音放射装置によれば、人間の聴感的な注意（興味など）を促す音である意識制御用音を騒音と同方向から放射することで、意識制御エリアにいる人に騒音と意識制御用音とを一つの音として認識させることができるため、騒音に加えてターゲット音が同一の居住空間に存在する場合において、意識制御用音に意識制御エリアにいる人の意識を向かせることで、騒音を目立たなくして、ターゲット音を聞き取りやすくすることができる。
【図面の簡単な説明】
【００１０】
【図１】本発明の実施の形態に係る意識制御用音放射装置の導入例を示す側面図である。
【図２】本発明の実施の形態に係る意識制御用音放射装置の制御装置の基本構成を示すブロック図である。
【図３】本発明の実施の形態に係る意識制御用音放射装置の制御フロー図である。
【図４】本発明の実施の形態に係る意識制御用音放射装置の音計測手段で計測した時間軸波形を示す図である。
【図５】本発明の実施の形態に係る周波数特性を示す図である。
【図６】本発明の実施の形態に係る意識制御用音放射装置における意識制御用音の放射有無による評価結果を示す図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態．
図１は、本発明の実施の形態に係る意識制御用音放射装置の導入例を示す側面図である。
本実施の形態では、居住空間１００における音環境を快適にするために、意識制御用音を利用する。なお、図１では意識制御用音放射装置を一般家庭の居住空間１００に導入した例を示しており、その居住空間１００は、オープンキッチン１０とリビング２０とが互いに隣接し、それらがカウンター１２で仕切られている。また、図１中の点線は、オープンキッチン１０とリビング２０との境界線を示している。なお、本実施の形態では、意識制御用音放射手段３２が２ｃｈである場合を示しているが、それに限定されず、１ｃｈでもよいし３ｃｈ以上でもよい。
【００１３】
本実施の形態に係る意識制御用音放射装置は、人間の聴感的な注意（興味など）を促す音である意識制御用音を騒音と同方向から放射する。そして、聴者に騒音と意識制御用音とを一つの音（一緒の音）として認識させ、不快ではない音である意識制御用音に聴者の意識を向かせることで、不快な音である騒音を目立たなくする。そうすることで、ターゲット音を聞き取りやすくする（ターゲット音に集中できる環境にする）ものである。
【００１４】
本実施の形態では、騒音の発生源（以下、騒音発生源と称する）としてオープンキッチン１０にある換気扇１１、ターゲット音の発生源（以下、ターゲット音発生源と称する）としてリビング２０にあるＴＶ２１を例に説明する。また、リビング２０のソファ２２に座ってＴＶ２１を視聴している視聴者４０を意識制御用音対象者とし、ソファ２２および視聴者４０は、騒音発生源である換気扇１１とターゲット音発生源であるＴＶ２１との間の意識制御エリア２３に位置している。
【００１５】
なお、意識制御用音対象者とは、意識制御用音を放射することによってターゲット音が聞き取りやすくなる者のことであり、意識制御エリア２３とは、意識制御用音対象者が居るエリアであり、意識制御用音で騒音を目立たなくすることによって、ターゲット音が聞き取りやすくなるエリアのことである。
【００１６】
意識制御用音には、騒音が気にならないようにするため、騒音の周波数特性とは別の周波数特性を有し、人間の聴感的な注意（興味など）を促す音を用いる。本実施の形態では、事前に行った主観評価実験、および、（心拍、脳波などの）生理反応実験などの結果から不快ではないと判断された楽音（倍音を含む）の基本周波数を用いる。そして、音圧レベルの変動が少ない各種楽器の基本周波数の「単体音」、基本周波数の単体音を変調させた「ビブラート音」、２つ以上の基本周波数の組合せによる「和音」などを用いる。
【００１７】
上記楽音の種類としては、弦楽器、管楽器、打楽器、木管楽器、共鳴機構を備えた楽器（ハーモニカなど）、共鳴周波数が再生される鍵盤楽器（パイプオルガンなど）などがある。そして、主観評価実験、生理反応評価実験などの結果に基づいて、各騒音の周波数特性に応じた楽音の種類、および、単体音、ビブラート音、和音などを選択し、意識制御用音とする。
【００１８】
なお、換気扇１１以外の騒音発生源としては、食洗器、エアコン、冷蔵庫、電子レンジなどがあり、その他のターゲット音発生源としては、ラジオ、コンポ、楽器などがある。
【００１９】
そして、オープンキッチン１０に居る調理者４１が調理を行うために換気扇１１を運転させた場合、換気扇１１の音（以下、騒音とも称する）は図１に示す矢印１３のようにリビング２０でＴＶ２１を視聴している視聴者４０に伝播する。そのため、視聴者４０はその騒音によって、図１に示す矢印２４のようにＴＶ２１から伝播した音（ターゲット音）が聞こえにくくなってしまう。
【００２０】
そこで、本実施の形態では、意識制御用音を騒音と同方向から放射し、意識制御用音対象者に騒音と意識制御用音とを一つの音（一緒の音）として認識させ、意識制御用音に意識を向かせることで、換気扇１１の音（騒音）を目立たないようにし、視聴者４０がＴＶ２１の音（ターゲット音）を聞き取りやすくする。
【００２１】
本実施の形態に係る意識制御用音放射装置は、音計測手段３１と、意識制御用音放射手段３２と、制御装置３３と、で構成されている。
【００２２】
音計測手段３１は、マイクロホンなどで構成され、設置場所（本実施の形態ではオープンキッチン１０）での音（音波）を計測するものであり、騒音発生源である換気扇１１の近傍に設置される。そうするのは、同じ居住空間１００でも位置によって音は異なり、音響特性（音圧レベル、周波数特性など）も異なるため、できるだけ正確な騒音の音響特性を検出するためである。そして、正確な騒音の音響特性を検出し、それに基づいて最適な意識制御用音を選択し、最適な音圧レベルの調整を行うためである。
【００２３】
意識制御用音放射手段３２は、スピーカーなどで構成され、意識制御用音を放射するものであり、意識制御エリア２３よりも騒音発生源である換気扇１１側に配置される。そうするのは、意識制御用音を騒音と同方向から放射し、意識制御用音対象者に騒音と意識制御用音とを一つの音として認識させるためである。
さらに、意識制御用音放射手段３２は換気扇１１の近傍に配置される。具体的には、換気扇１１の音の周波数特性における、消したい（音を目立たなくしたい）最大周波数成分の一波長以内の位置に配置するとよい。
【００２４】
ここで、ＴＶ２１の音は放送／再生する媒体により、音楽やドラマ、および映画やニュースなど様々な媒体であり、定常性の音響特性になっているとは言いがたい。なお、放送中に含まれる人がかかわる音声には男女差はあるものの、５００Ｈｚ以上〜３ｋＨｚ前後までの周波数帯域に特徴量を持つ特性を有している。
【００２５】
人の聴感的な特性としては、公知であるツビィッカー・ラウドネス曲線（図示せず）で見られるように、１ｋＨｚが最も聞き取りやすい特性を有しており、低い周波数に関しては聴感的な反応は鈍い。また、高い周波数に対しても年齢的な面も考慮すると３ｋＨｚ前後までが最も聞き取りやすい周波数帯域であることが知られている。
【００２６】
実際、ＴＶ２１などから伝播してくる音の周波数特性は上記周波数帯域５００Ｈｚ〜３ｋＨｚで説明できる音が伝播してくる。よって、ＴＶ２１などからの音を聞き取りやすくするためには、５００Ｈｚ〜３ｋＨｚの帯域の音を確実に聴取できることが重要になる。
【００２７】
そのため、（騒音の周波数特性における）消したい周波数成分とは、５００Ｈｚ〜３ｋＨｚの帯域に存在する騒音の周波数特性において、聴感的に不快感を与える、一つ以上のピーク周波数成分である。そして、消したい最大周波数成分は、それらピーク周波数成分のうち周波数が一番高いものである。
なお、５００Ｈｚ〜３ｋＨｚの帯域は、本発明の「特定周波数帯域」に相当する。
【００２８】
例えば、騒音発生源が機器Ａであり、機器Ａの騒音の周波数特性における、消したい最大周波数成分ｆ＝１ｋＨｚである場合、音速ｃ＝３４０ｍ／ｓとすると、上記の一波長λ＝ｃ／ｆ＝３４０／１０００＝０．３４ｍとなるため、意識制御用音放射手段３２は機器Ａから０．３４ｍ以内の位置に配置する。
【００２９】
なお、換気扇１１の音の周波数特性において、消したい最大周波数成分の「一波長以内」とするのは、意識制御用音対象者に意識制御用音と騒音とを一つの音として認識させるためであり、換気扇１１の音の周波数特性において、消したい「最大」周波数成分の一波長以内とするのは、意識制御用音の位相が騒音の位相とずれないようにするためである。
【００３０】
ここで、意識制御用音放射手段３２を、意識制御エリア２３に対して換気扇１１とは反対側の位置に配置したり、換気扇１１の消したい最大周波数成分の一波長より遠い位置に配置したりすると、意識制御用音対象者は意識制御用音と騒音とを別々の音として認識するようになる。そうなると、意識制御用音対象者に騒音と意識制御用音とを一つの音として認識させ、不快ではない音である意識制御用音に意識を向かせることで、不快な音である騒音を目立たなくする、ということができなくなる。また、意識制御用音の位相が騒音の位相とずれてしまうと、それらの音が意識制御用音対象者にとって不快な音となってしまう。
【００３１】
また、騒音発生源が複数ある場合は、消したい最大周波数成分が一番高い騒音を発生させる騒音発生源の消したい最大周波数成分の一波長以内の位置に配置するとよい。
【００３２】
例えば、騒音発生源が機器Ａ、機器Ｂ、機器Ｃの３つであり、機器Ａの騒音の周波数特性における、消したい最大周波数成分ｆ＝１ｋＨｚ、機器Ｂの騒音の周波数特性における、消したい最大周波数成分ｆ＝１．５ｋＨｚ、機器Ｃの騒音の周波数特性における、消したい最大周波数成分ｆ＝２ｋＨｚである場合、最大周波数成分が一番高い騒音を発生させるのは機器Ｃである。そして、上記の一波長λ＝ｃ／ｆ＝３４０／２０００＝０．１７ｍとなるため、意識制御用音放射手段３２は機器Ｃから０．１７ｍ以内の位置に配置する。
【００３３】
なお、本実施の形態では、図１に示すように音計測手段３１および意識制御用音放射手段３２は天井に設置されているが、それに限定されるものではない。
また、音計測手段３１と意識制御用音放射手段３２との位置を逆にしてもよい。
【００３４】
図２は、本発明の実施の形態に係る意識制御用音放射装置の制御装置３３の基本構成を示すブロック図である。
制御装置３３は、騒音（騒音発生源の動作状態）に応じて意識制御用音を選択し、音圧レベルを調整後、意識制御用音を再生する（意識制御用音放射手段３２から意識制御用音を放射させる）ものであり、たとえばＣＰＵ、メモリなどで構成されている。また、図２に示すように音響検出部３３ａ、動作検出部３３ｂ、意識制御用音処理部３３ｃ、および記憶部３３ｄを備えている。
【００３５】
音響検出部３３ａは、音計測手段３１によって計測された音（アナログ信号）に基づいて、騒音の音響特性（音圧レベル、周波数特性など）を検出する。具体的には、アナログ信号をＡ／Ｄコンバータなどで構成されるＡ／Ｄ変換部（図示せず）でデジタル信号へ変換後、高速フーリエ変換（ＦＦＴ）処理を行うことにより、騒音の音響特性（音圧レベル、周波数特性など）を検出することができる。
【００３６】
動作検出部３３ｂは、騒音発生源の動作状態（動作の有無および動作の強度（弱、中、強など））を検出する。
なお、一般家庭における音環境は、居住空間１００の家具などの配置によって変化するが、一度大まかな家具類の設置が完了すると、模様替えなどで部屋の家具類を替えたり設置場所を変更させたりしない限り大きく変化しないのが一般的である。そのため、最初に各騒音発生源の各動作状態における音響特性を検出し、それを記憶部３３ｄに保存しておけば、次回からは実際に音を計測しなくても、騒音発生源の動作状態から発生している騒音の音響特性を検出することができる。
【００３７】
また、本実施の形態では、騒音発生源のスイッチ３４の状態を検出することにより騒音発生源の動作状態を検出する構成とするが、それに限定されず、ＨＥＭＳ（Home Energy Management System）が導入されている環境においては、ＨＥＭＳから得られる情報を元に騒音発生源の動作状態を検出する構成としてもよい。
【００３８】
意識制御用音処理部３３ｃは、音響検出部３３ａで検出した騒音の音響特性、または動作検出部３３ｂで検出した騒音発生源の動作状態に応じて意識制御用音を選択し、音圧レベルの調整を行い、意識制御用音を再生する。
【００３９】
ここで、各騒音（およびその強度）に対して最も効果がある意識制御用音（単体音、和音、ビブラート音など）を、主観評価実験、生理反応評価実験などの結果に基づいて予め決めておき、騒音の音響特性（または騒音発生源の動作状態）と意識制御用音との組合せに関する情報、および各意識制御用音の音響特性に関する情報を記憶部３３ｄに予め保存しておく。そして、検出した騒音の音響特性（騒音発生源の動作状態）に応じた意識制御用音を記憶部３３ｄの情報に基づいて選択する。
【００４０】
また、検出した騒音の音圧レベル（騒音発生源の動作の強度）に応じて意識制御用音の音圧レベルを調整する。意識制御用音の音圧レベルの調整は、意識制御用音の周波数特性におけるピークの平均の音圧レベルが、騒音の周波数特性におけるピークの平均の音圧レベルに対して最大約３ｄＢ低くなるように行うとよい。なお、このように音圧レベルを調整するのは、後述する評価結果より、最も高い効果が得られたためである。
【００４１】
以上のようにすることで、検出した騒音に対して最も効果がある意識制御用音を再生することができる。
【００４２】
なお、各騒音に対して最も効果がある意識制御用音を決めるのに関して、騒音の周波数特性におけるピークが存在する周波数帯域以外の帯域にピークが存在する周波数特性を有する音を意識制御用音とするとよい。そうするのは、本実施の形態では、意識制御用音に意識制御用音対象者の意識を向かせ、騒音を目立たなくすることが目的である。そこで、騒音の特徴的な周波数特性であるピークが存在する周波数帯域以外の帯域に、意識制御用音のピークを合わせることにより、騒音を目立たなくすることができる。
【００４３】
なお、本実施の形態では音計測手段３１および音響検出部３３ａと、動作検出部３３ｂとの両方を備えているが、少なくともいずれか一方を備えており、騒音（騒音発生源の動作状態）を検出できればよい。
また、本実施の形態では、記憶部３３ｄを制御装置３３が備えた構成としたが、それに限定されず、制御装置３３の外部に備えた構成としてもよい。
【００４４】
なお、音響検出部３３ａおよび動作検出部３３ｂは、それぞれ本発明の「騒音検出部」に相当する。
【００４５】
図３は、本発明の実施の形態に係る意識制御用音放射装置の制御フロー図、図４は、本発明の実施の形態に係る意識制御用音放射装置の音計測手段３１で計測した時間軸波形を示す図、図５は、本発明の実施の形態に係る周波数特性を示す図である。なお、図４の横軸は時間（ｍＳ）を、縦軸は出力電圧（Ｖ）をそれぞれ示しており、図５の横軸は周波数（Ｈｚ）を、縦軸は振幅（ｄＢ）をそれぞれ示している。また、図４（ａ）は換気扇１１の時間軸波形（アナログ信号）を示しており、図４（ｂ）はＴＶ２１の時間軸波形（アナログ信号）を示している。
【００４６】
以下、本実施の形態に係る意識制御用音放射装置の動作について、図３の制御フローを用いて説明する。
まず、音計測手段３１により、それが設置されている場所（オープンキッチン１０）の音を計測し、音響検出部３３ａにより換気扇１１の音（騒音）の音響特性（音圧レベル、周波数特性など）を検出する（ステップＳ１ａ）。このとき、ＴＶ２１の電源はＯＦＦにした方が、音計測手段３１により計測する音にＴＶ２１の音が混ざらないため、換気扇１１の音の音響特性を容易に検出することができる。
【００４７】
音計測手段３１で計測した図４（ａ）に示す換気扇１１の時間軸波形（アナログ信号）をデジタル信号に変換後、高速フーリエ変換（ＦＦＴ）処理を行うことにより、図５に示す換気扇１１の周波数特性を得ることができる。
【００４８】
なお、図４に示すように換気扇１１のアナログ信号は時間に対する出力電圧の変化が周期的であるため、換気扇１１は、図５に示す周波数特性の音が放射され続ける。一方、ＴＶ２１のアナログ信号は時間に対する出力電圧の変化が非周期的であるため、時間毎に異なる周波数特性の音が放射される。そのため、これらの特徴を利用して、換気扇１１の音とＴＶ２１の音とが混ざっていたとしても、それらの音を判別することができる。
【００４９】
次に、上記のようにして検出した換気扇１１の音の音響特性に基づいて騒音が発生しているかどうか、または、前回騒音が発生していることを検出していた場合は、騒音レベルが変更されているかどうかを検出する（ステップＳ２）。なお、音計測手段３１により計測した結果は、記憶部３３ｄなどに保存しておく。そうすることにより、次に音を計測した際に、新たに騒音が発生しているかどうか、および、騒音レベルが変更されているかどうかを検出することができる。
【００５０】
ここで、音響検出部３３ａによる、騒音が発生しているかどうかの検出は、音響検出部３３ａにより検出した音圧レベルが予め定められた値以上であるかどうか、などで行う。また、騒音レベルが変更されているかどうかの検出は、音響検出部３３ａにより検出した音圧レベルが、前回に比べ予め定められた値以上変化しているかどうか、などで行う。
【００５１】
または、動作検出部３３ｂにより換気扇１１（騒音発生源）の動作状態を検出し（ステップＳ１ｂ）、換気扇１１が動作しているかどうか、つまり、騒音が発生しているかどうか、または、前回騒音が発生していることを検出していた場合は、動作の強度が変更されているかどうか、つまり、騒音レベルが変更されているかどうかを検出する（ステップＳ２）。なお、動作検出部３３ｂにより騒音発生源の動作状態を検出した結果は、記憶部３３ｄなどに保存しておく。そうすることにより、次に騒音発生源の動作状態を検出した際に、新たに騒音が発生しているかどうか、および、騒音レベルが変更されているかどうかを検出することができる。
【００５２】
ここで、動作検出部３３ｂによる、騒音が発生しているかどうかの検出は、動作検出部３３ｂにより検出した騒音発生源の動作状態により、電源がＯＮとなっているかどうか、で行う。また、騒音レベルが変更されているかどうかの検出は、動作検出部３３ｂにより検出した騒音発生源の動作状態により、動作の強度（弱、中、強など）が変更されたかどうかで行う。
【００５３】
そして、騒音が発生していること、または騒音レベルが変更されていることを検出したら（ステップＳ２のＹｅｓ）、意識制御用音処理部３３ｃは、音響検出部３３ａで検出した騒音の音響特性、または動作検出部３３ｂで検出した騒音発生源の動作状態に応じて意識制御用音を選択し、音圧レベルの調整を行う（ステップＳ３）。
【００５４】
このとき、換気扇１１に応じた意識制御用音として、図５に示すような周波数特性を有する意識制御用音を選択する。この意識制御用音は、バイオリンのビブラート、チェロ、およびファゴットの和音であり、換気扇１１の周波数特性におけるピークが存在する周波数帯域以外の帯域にピークが存在する周波数特性を有する音である。
【００５５】
なお、図５に示す換気扇１１の周波数特性を有する騒音に対しては、図５に示すビブラート、チェロ、およびファゴットの和音が選択されるように、騒音と意識制御用音との組合せに関する情報、および各意識制御用音の音響特性に関する情報が、記憶部３３ｄに保存されている。また、意識制御用音の周波数特性におけるピークの平均の音圧レベルが、騒音の周波数特性におけるピークの平均の音圧レベルに対して最大約３ｄＢ低くなるように音圧レベルの調整を行う。
【００５６】
意識制御用音を選択し、音圧レベルの調整を行ったら、意識制御用音処理部３３ｃは意識制御用音を再生する（意識制御用音放射手段３２から意識制御用音を放射させる）（ステップＳ４）。
【００５７】
その後、再び音響検出部３３ａによる音響特性（音圧レベル、周波数特性など）の検出（ステップＳ１ａ）、または動作検出部３３ｂによる騒音発生源の動作状態の検出（ステップＳ１ｂ）を行い、騒音の音響特性（騒音発生源の動作状態）が変化していたら、それに応じて意識制御用音も変更する。
【００５８】
以上のように、本実施の形態に係る意識制御用音放射装置によれば、騒音の音響特性（または騒音発生源の動作状態）を検出し、検出した騒音の音響特性（または騒音発生源の動作状態）に応じて意識制御用音を選択し、音圧レベルの調整を行い、その意識制御用音を騒音と同方向から放射する。そして、意識制御用音対象者に騒音と意識制御用音とを一つの音（一緒の音）として認識させ、不快ではない音である意識制御用音に意識制御用音対象者の意識を向かせることで、不快な音である騒音を目立たなくする。そうすることで、騒音に加えてターゲット音が同一空間に存在する場合において、ターゲット音を聞き取りやすくする（ターゲット音に集中できる環境にする）ことができる。
【００５９】
なお、本実施の形態では、音響検出部３３ａまたは動作検出部３３ｂにより、騒音が発生していること、または騒音レベルが変更されていることを検出するものとしたが、それに限定されず、両方により検出するようにしてもよい。そうすることにより、より正確に騒音が発生していること、または騒音レベルが変更されていることを検出することができる。
【００６０】
また、意識制御用音の選択および音圧レベルの調整を意識制御用音対象者がリモコン（図示せず）などにより手動で行えるようにしてもよい。そして、その情報（以下、手動設定情報と称する）をその時の騒音情報と合わせて記憶部３３ｄなどに保存しておくことにより、次に騒音を検出した際に、意識制御用音対象者の好みを考慮して意識制御用音の選択および音圧レベルの調整を行うことができる。
【００６１】
図６は、本発明の実施の形態に係る意識制御用音放射装置における意識制御用音の放射有無による評価結果を示す図である。なお、（ａ）は、意識制御用音の放射有無による換気扇１１の音（騒音）に対する聴感的な反応について、（ｂ）は、意識制御用音の放射有無によるＴＶ２１の音（ターゲット音）に対する聞こえの感性について、それぞれ図１に示すリビング２０のソファ２２に座った聴覚正常者５０名に対して形容詞対を用いて７段階の意味尺度で主観評価した結果を示している。
【００６２】
また、図６中の■は意識制御用音の放射無し、○は意識制御用音（Ａタイプ）の放射有り、△は意識制御用音（Ｂタイプ）の放射有りの結果を示しており、■、○、および、△の◆−◆間は、５０名による偏差範囲を示すものである。なお、意識制御用音（Ａタイプ）とは、周波数特性におけるピークの平均の音圧レベルが、騒音の周波数特性におけるピークの平均の音圧レベルと同等の意識制御用音のことであり、意識制御用音（Ｂタイプ）とは、周波数特性におけるピークの平均の音圧レベルが、騒音の周波数特性におけるピークの平均の音圧レベルに対して３ｄＢ低い意識制御用音のことである。
【００６３】
図６（ａ）に示すように、リビング２０のソファ２２に座った聴覚正常者によれば、意識制御用音の放射無しでは換気扇１１の音を「不快である」と感じていた割合が多かったが、意識制御用音（Ａタイプ）の放射有りでは、「どちらでもない」と感じる割合が多くなり、意識制御用音（Ｂタイプ）の放射有りでは、「不快ではない」と感じる割合が多くなっていることが分かる。つまり、意識制御用音を放射することにより換気扇１１の音は聞こえにくくなった（騒音が目立たなくなった）ことが確認でき、さらに、意識制御用音（Ｂタイプ）が最も不快ではないと感じることが確認できる。これは、意識制御用音と騒音とが同等の音圧レベルで再生されると、色々な音がランダムに発生しているように聞こえてしまい、意識制御用音に聴覚正常者の意識を向かせることができないためである。
【００６４】
そのため、意識制御用音の周波数特性におけるピークの平均の音圧レベルを、騒音の周波数特性におけるピークの平均の音圧レベルに対して低くすることで、色々な音がランダムに発生しているように聞こえるのを抑制し、意識制御用音に聴覚正常者の意識を向かせることができるようになる。そして、評価結果より最も快適に感じるのは、意識制御用音の周波数特性におけるピークの平均の音圧レベルを、騒音の周波数特性におけるピークの平均の音圧レベルに対して最大約３ｄＢ低くした場合である。
【００６５】
なお、意識制御用音の周波数特性におけるピークの平均の音圧レベルを、騒音の周波数特性におけるピークの平均の音圧レベルに対して３ｄＢよりも低くしてしまうと、徐々に意識制御用音よりも騒音が目立ってきてしまい、逆に不快に感じるようになる。そのため、意識制御用音の周波数特性におけるピークの平均の音圧レベルを、騒音の周波数特性におけるピークの平均の音圧レベルに対して最大でも５ｄＢ以内にするとよい。
【００６６】
また、図６（ｂ）に示すように、リビング２０のソファ２２に座った聴覚正常者によれば、意識制御用音の放射無しではＴＶ２１の音声が「聞こえにくい」と感じる割合が多かったが、意識制御用音（Ａタイプ）の放射有りでは、「どちらでもない」と感じる割合が多くなり、意識制御用音（Ｂタイプ）の放射有りでは「十分に聞き取れる」と感じる割合が多くなっていることが分かる。つまり、意識制御用音を放射することによりＴＶ２１の音は聞こえやすくなった（ターゲット音に集中できる環境になった）ことが確認できる。さらに、意識制御用音（Ｂタイプ）が最も効果があることが確認できる。
【００６７】
なお、本実施の形態では、意識制御用音放射装置を比較的狭い空間である、オープンキッチン１０とリビング２０とからなる居住空間１００に導入した例を示したが、それに限定されず、より広い空間に導入してもよい。その場合は、音計測手段３１を複数箇所に設置し、同様に計測を行うことで広い空間を伝播する音の音響特性を得ることができる。また、騒音発生源が複数ある場合、各騒音の近傍に意識制御用音放射手段３２を設置することで、広範囲にわたって騒音を目立たなくして、ターゲット音を聞き取りやすくする（ターゲット音に集中できる環境にする）ことができる。
【００６８】
また、本実施の形態では、騒音発生源が換気扇１１である場合について説明したが、それに限定されず、他の騒音発生源でもよく、騒音発生源が複数ある場合についても本発明を適用することができる。
【符号の説明】
【００６９】
１０  オープンキッチン、１１  換気扇、１２  カウンター、１３  矢印、２０  リビング、２１  ＴＶ、２２  ソファ、２３  意識制御エリア、２４  矢印、３１  音計測手段、３２  意識制御用音放射手段、３３  制御装置、３３ａ  音響検出部、３３ｂ  動作検出部、３３ｃ  意識制御用音処理部、３３ｄ  記憶部、３４  スイッチ、４０  視聴者、４１  調理者、１００  居住空間。
【図１】
2016136189.tif 000003
【図２】
2016136189.tif 000004
【図３】
2016136189.tif 000005
【図４】
2016136189.tif 000006
【図５】
2016136189.tif 000007
【図６】
2016136189.tif 000008
【手続補正書】
【提出日】平成27年3月16日(2015.3.16)
【手続補正１】
【補正対象書類名】明細書
【補正対象項目名】００６２
【補正方法】変更
【補正の内容】
【００６２】
また、図６中の■は意識制御用音の放射無し、△は意識制御用音（Ａタイプ）の放射有り、○は意識制御用音（Ｂタイプ）の放射有りの結果を示しており、■、○、および、△の◆−◆間は、５０名による偏差範囲を示すものである。なお、意識制御用音（Ａタイプ）とは、周波数特性におけるピークの平均の音圧レベルが、騒音の周波数特性におけるピークの平均の音圧レベルと同等の意識制御用音のことであり、意識制御用音（Ｂタイプ）とは、周波数特性におけるピークの平均の音圧レベルが、騒音の周波数特性におけるピークの平均の音圧レベルに対して３ｄＢ低い意識制御用音のことである。
【手続補正２】
【補正対象書類名】図面
【補正対象項目名】図６
【補正方法】変更
【補正の内容】
【図６】
2016136189.tif 000009